【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ビデオデコーダが、ビデオデータのパレットモードコード化ブロックのエスケープモードコード化画素を取得すること、前記パレットモードコード化ブロックは、カラーパレットのそれぞれのエントリに前記パレットモードコード化ブロックのための画素値をマッピングするパレットインデックス値を備え、前記エスケープモードコード化画素は、前記カラーパレット中にない画素値に対応する、と、
前記ビデオデコーダが、左シフトパラメータの値を使用して前記エスケープモードコード化画素を逆量子化することと
を備え、前記逆量子化することは、前記エスケープモードコード化画素のための値（ｄｅＱｕａｎｔＥｓｐＶａｌｕｅ）を以下の式に従って計算することを備え、
deQuantEspValue = EspValue * invQuantScale[qPrem] << invQuantLeftShift, 
ＥｓｐＶａｌｕｅは、前記エスケープモードコード化画素のためにコード化されたコード化被量子化エスケープ値を表し、ｉｎｖＱｕａｎｔＳｃａｌｅは、逆量子化スケール値のアレイを表し、ｑＰｒｅｍが量子化パラメータ剰余値を表し、ｉｎｖＱｕａｎｔＬｅｆｔＳｈｉｆｔは、前記左シフトパラメータの前記値を表し、＜＜は、ビット単位左シフト演算子を表す、
方法。
【請求項２】
前記ブロックのための量子化パラメータ（ｑＰ）の値に基づいて前記左シフトパラメータのための前記値を決定することを更に備える、請求項１に記載の方法。
【請求項３】
前記エスケープモードコード化画素を含む色成分の色成分インデックス（ｃＩｄｘ）に基づいてｑＰの前記値を決定することを更に備える、請求項２に記載の方法。
【請求項４】
前記左シフトパラメータのための前記値を決定することが、
量子化比（ｑＰｐｅｒ）を式ｑＰｐｅｒ＝ｑＰ／６に従って計算すること、ここにおいて、ｑＰが前記ｑＰの前記値を表す、と、
ｑＰｐｅｒを使用して前記左シフトパラメータのための前記値を計算することと
を備える、請求項２に記載の方法。
【請求項５】
ｉｎｖＱｕａｎｔＳｃａｌｅによって表される前記逆量子化スケール値のアレイは、｛４０，４５，５１，５７，６４，７２｝を備える、請求項１に記載の方法。
【請求項６】
前記パレットモードコード化ブロックのための前記カラーパレットを復号することと、
前記カラーパレットを使用して前記ブロックの前記画素値のうちの少なくとも１つを復号することと、
前記エスケープモードコード化画素と前記画素値のうちの前記復号された少なくとも１つとを使用して前記ブロックを再構成することと
を更に備える、請求項１に記載の方法。
【請求項７】
ビデオデータを復号するための機器であって、前記機器は、
ビデオデータを記憶するように構成されたメモリと、
ビデオデコーダと
を備え、前記ビデオデコーダは、
前記ビデオデータのパレットモードコード化ブロックのエスケープモードコード化画素を取得すること、前記パレットモードコード化ブロックは、カラーパレットのそれぞれのエントリに前記パレットモードコード化ブロックのための画素値をマッピングするパレットインデックス値を備え、前記エスケープモードコード化画素は、前記カラーパレット中にない画素値に対応する、と、
左シフトパラメータの前記値を使用して前記エスケープモードコード化画素を逆量子化することと
を行うように構成され、前記エスケープモードコード化画素を逆量子化するために、前記ビデオデコーダは、前記エスケープモードコード化画素のための値（ｄｅＱｕａｎｔＥｓｐＶａｌｕｅ）を以下の式に従って計算することを行うように構成され、
deQuantEspValue = EspValue * invQuantScale[qPrem] << invQuantLeftShift, 
ＥｓｐＶａｌｕｅは、前記エスケープモードコード化画素のためにコード化されたコード化被量子化エスケープ値を表し、ｉｎｖＱｕａｎｔＳｃａｌｅは、逆量子化スケール値のアレイを表し、ｑＰｒｅｍが量子化パラメータ剰余値を表し、ｉｎｖＱｕａｎｔＬｅｆｔＳｈｉｆｔは、前記左シフトパラメータの前記値を表し、＜＜は、ビット単位左シフト演算子を表す、
機器。
【請求項８】
前記ビデオデコーダが、前記ブロックのための量子化パラメータ（ｑＰ）の値に基づいて前記左シフトパラメータのための前記値を決定するように更に構成された、請求項７に記載の機器。
【請求項９】
前記ビデオデコーダが、前記エスケープモードコード化画素を含む色成分の色成分インデックス（ｃＩｄｘ）に基づいて前記ｑＰの前記値を決定するように更に構成された、請求項８に記載の機器。
【請求項１０】
前記左シフトパラメータのための前記値を決定するために、前記ビデオデコーダは、
量子化比（ｑＰｐｅｒ）を式ｑＰｐｅｒ＝ｑＰ／６に従って計算すること、ここにおいて、ｑＰが前記ｑＰの前記値を表す、と、
ｑＰｐｅｒを使用して前記左シフトパラメータのための前記値を計算することと
を行うように構成された、請求項８に記載の機器。
【請求項１１】
ｉｎｖＱｕａｎｔＳｃａｌｅによって表される前記逆量子化スケール値のアレイは、｛４０，４５，５１，５７，６４，７２｝を備える、請求項７に記載の機器。
【請求項１２】
前記ビデオデコーダが、
前記パレットモードコード化ブロックのための前記パレットを復号することと、
前記カラーパレットを使用して前記ブロックの前記画素値のうちの少なくとも１つを復号することと、
前記エスケープモードコード化画素と前記画素値のうちの前記復号された少なくとも１つとを使用して前記ブロックを再構成することと
を行うように更に構成された、請求項７に記載の機器。
【請求項１３】
前記機器が、
集積回路、
マイクロプロセッサ、又は
ワイヤレス通信機器
のうちの少なくとも１つを備える、請求項７に記載の機器。
【請求項１４】
ビデオデータを復号するための機器であって、前記機器は、
ビデオデータのパレットモードコード化ブロックのエスケープモードコード化画素を取得するための手段、前記パレットモードコード化ブロックは、カラーパレットのそれぞれのエントリに前記パレットモードコード化ブロックのための画素値をマッピングするパレットインデックス値を備え、前記エスケープモードコード化画素は、前記カラーパレット中にない画素値に対応する、と、
前記左シフトパラメータの前記値を使用して前記エスケープモードコード化画素を逆量子化するための手段と
を備え、
、前記逆量子化するための手段は、前記エスケープモードコード化画素のための値（ｄｅＱｕａｎｔＥｓｐＶａｌｕｅ）を以下の式に従って計算するための手段を備え、
deQuantEspValue = EspValue * invQuantScale[qPrem] << invQuantLeftShift, 
ＥｓｐＶａｌｕｅは、前記エスケープモードコード化画素のためにコード化されたコード化被量子化エスケープ値を表し、ｉｎｖＱｕａｎｔＳｃａｌｅは、逆量子化スケール値のアレイを表し、ｑＰｒｅｍが量子化パラメータ剰余値を表し、ｉｎｖＱｕａｎｔＬｅｆｔＳｈｉｆｔは、前記左シフトパラメータの前記値を表し、＜＜は、ビット単位左シフト演算子を表す、
機器。
【請求項１５】
前記ブロックのための量子化パラメータ（ｑＰ）の値に基づいて前記左シフトパラメータのための前記値を決定するための手段を更に備える、請求項１４に記載の機器。
【請求項１６】
前記エスケープモードコード化画素を含む色成分の色成分インデックス（ｃＩｄｘ）に基づいて前記ｑＰの前記値を決定するための手段を更に備える、請求項１５に記載の機器。
【請求項１７】
前記左シフトパラメータのための前記値を決定するための前記手段が、
量子化比（ｑＰｐｅｒ）を式ｑＰｐｅｒ＝ｑＰ／６に従って計算するための手段、ここにおいて、ｑＰが前記ｑＰの前記値を表す、と、
ｑＰｐｅｒを使用して前記左シフトパラメータのための前記値を計算するための手段と
を備える、請求項１５に記載の機器。
【請求項１８】
ｉｎｖＱｕａｎｔＳｃａｌｅによって表される前記逆量子化スケール値のアレイは、｛４０，４５，５１，５７，６４，７２｝を備える、請求項１４に記載の機器。
【請求項１９】
前記パレットモードコード化ブロックのための前記カラーパレットを復号するための手段と、
前記カラーパレットを使用して前記ブロックの前記画素値のうちの少なくとも１つを復号するための手段と、
前記エスケープモードコード化画素と前記画素値のうちの前記復号された少なくとも１つとを使用して前記ブロックを再構成するための手段と
を更に備える、請求項１４に記載の機器。
【請求項２０】
実行されたとき、ビデオデータを復号するための機器のプロセッサに、
前記ビデオデータのパレットモードコード化ブロックのエスケープモードコード化画素を取得すること、前記パレットモードコード化ブロックは、カラーパレットのそれぞれのエントリに前記パレットモードコード化ブロックのための画素値をマッピングするパレットインデックス値を備え、前記エスケープモードコード化画素は、前記カラーパレット中にない画素値に対応する、と、
前記左シフトパラメータの前記値を使用して前記エスケープモードコード化画素を逆量子化することと
を行わせる命令を記憶し、前記プロセッサに前記逆量子化することを行わせる命令は、前記プロセッサに、前記エスケープモードコード化画素のための値（ｄｅＱｕａｎｔＥｓｐＶａｌｕｅ）を以下の式に従って計算することを行わせる命令を備え、
deQuantEspValue = EspValue * invQuantScale[qPrem] << invQuantLeftShift, 
ＥｓｐＶａｌｕｅは、前記エスケープモードコード化画素のためにコード化されたコード化被量子化エスケープ値を表し、ｉｎｖＱｕａｎｔＳｃａｌｅは、逆量子化スケール値のアレイを表し、ｑＰｒｅｍが量子化パラメータ剰余値を表し、ｉｎｖＱｕａｎｔＬｅｆｔＳｈｉｆｔは、前記左シフトパラメータの前記値を表し、＜＜は、ビット単位左シフト演算子を表す、た非一時的コンピュータ可読記憶媒体。
【請求項２１】
前記プロセッサに、前記ブロックのための量子化パラメータ（ｑＰ）の値に基づいて前記左シフトパラメータのための前記値を決定させる命令を更に備える、請求項２０に記載の非一時的コンピュータ可読記憶媒体。
【請求項２２】
前記プロセッサに、前記エスケープモードコード化画素を含む色成分の色成分インデックス（ｃＩｄｘ）に基づいて前記ｑＰの前記値を決定させる命令を更に備える、請求項２１に記載の非一時的コンピュータ可読記憶媒体。
【請求項２３】
前記プロセッサに前記左シフトパラメータのための前記値を決定させる前記命令は、前記プロセッサに、
量子化比（ｑＰｐｅｒ）を式ｑＰｐｅｒ＝ｑＰ／６に従って計算すること、ここにおいて、ｑＰが前記ｑＰの前記値を表す、と、
ｑＰｐｅｒを使用して前記左シフトパラメータのための前記値を計算することと
を行わせる命令を備える、請求項２１に記載の非一時的コンピュータ可読記憶媒体。
【請求項２４】
ｉｎｖＱｕａｎｔＳｃａｌｅによって表される前記逆量子化スケール値のアレイは、｛４０，４５，５１，５７，６４，７２｝を備える、請求項２０に記載のコンピュータ可読記憶媒体。
【請求項２５】
前記プロセッサに、
前記パレットモードコード化ブロックのための前記カラーパレットを復号することと、
前記カラーパレットを使用して前記ブロックの少なくとも画素値のうちの前記１つを復号することと、
前記エスケープモードコード化画素と前記復号された画素値のうちの前記少なくとも１つとを使用して前記ブロックを再構成することと
を行わせる命令を更に備える、請求項２０に記載の非一時的コンピュータ可読記憶媒体。
【手続補正２】
【補正対象書類名】明細書
【補正対象項目名】０１３９
【補正方法】変更
【補正の内容】
【０１３９】
[00140]様々な例が説明された。これら及び他の例は以下の特許請求の範囲内に入る。
以下に、本願出願の当初の特許請求の範囲に記載された発明を付記する。
ビデオデータを復号する方法であって、前記方法は、
ビデオデータのパレットモードコード化ブロックのエスケープモードコード化画素のための右シフトパラメータのための値が０よりも小さいと決定することと、
前記右シフトパラメータのための前記値が０よりも小さいことに基づいて、左シフトパラメータのための値を、前記右シフトパラメータの絶対値に等しい絶対値を有する正値に設定することと、
前記左シフトパラメータの前記値を使用して前記エスケープモードコード化画素を逆量子化することと
を備える、方法。
［Ｃ２］
前記ブロックのための量子化パラメータ（ｑＰ）の値に基づいて前記右シフトパラメータのための前記値を決定することを更に備える、［Ｃ１］に記載の方法。
［Ｃ３］
前記エスケープモードコード化画素を含む色成分の色成分インデックス（ｃＩｄｘ）に基づいてｑＰの前記値を決定することを更に備える、［Ｃ２］に記載の方法。
［Ｃ４］
前記右シフトパラメータのための前記値を決定することが、
量子化比（ｑＰｐｅｒ）を式ｑＰｐｅｒ＝ｑＰ／６に従って計算することと、ここにおいて、ｑＰが前記ｑＰの前記値を表す、
前記右シフトパラメータのための前記値（ｉｎｖＱｕａｎｔＲｉｇｈｔＳｈｉｆｔ）を式ｉｎｖＱｕａｎｔＲｉｇｈｔＳｈｉｆｔ＝６-ｑＰｐｅｒに従って計算することと
を備える、［Ｃ２］に記載の方法。
［Ｃ５］
前記エスケープモードコード化画素を逆量子化することが、前記エスケープモードコード化画素のための値（ｄｅＱｕａｎｔＥｓｐＶａｌｕｅ）を以下の式に従って計算することを備え、
deQuantEspValue = EspValue * invQuantScale[qPrem] << invQuantLeftShift,   ここにおいて、ＥｓｐＶａｌｕｅが、前記エスケープモードコード化画素のためにコード化されたコード化被量子化エスケープ値を表し、ｉｎｖＱｕａｎｔＳｃａｌｅが逆量子化スケール値のアレイを表し、ｑＰｒｅｍが量子化パラメータ剰余値を表し、ｉｎｖＱｕａｎｔＬｅｆｔＳｈｉｆｔが前記左シフトパラメータの前記値を表し、＜＜がビット単位左シフト演算子を表す、
［Ｃ１］に記載の方法。
［Ｃ６］
ｉｎｖＱｕａｎｔＳｃａｌｅが｛４０，４５，５１，５７，６４，７２｝を備える、［Ｃ５］に記載の方法。
［Ｃ７］
前記パレットモードコード化ブロックのためのパレットを復号することと、
前記パレットを使用して前記ブロックの少なくとも１つの他の画素を復号することと、  前記エスケープモードコード化画素と前記復号された少なくとも１つの他の画素とを使用して前記ブロックを再構成することと
を更に備える、［Ｃ１］に記載の方法。
［Ｃ８］
ビデオデータを復号するための機器であって、前記機器は、
ビデオデータを記憶するように構成されたメモリと、
ビデオデコーダと
を備え、前記ビデオデコーダは、
前記ビデオデータのパレットモードコード化ブロックのエスケープモードコード化画素のための右シフトパラメータのための値が０よりも小さいと決定することと、
前記右シフトパラメータのための前記値が０よりも小さいことに基づいて、左シフトパラメータのための値を、前記右シフトパラメータの絶対値に等しい絶対値を有する正値に設定することと、
前記左シフトパラメータの前記値を使用して前記エスケープモードコード化画素を逆量子化することと
を行うように構成された、
機器。
［Ｃ９］
前記ビデオデコーダが、前記ブロックのための量子化パラメータ（ｑＰ）の値に基づいて前記右シフトパラメータのための前記値を決定するように更に構成された、［Ｃ８］に記載の機器。
［Ｃ１０］
前記ビデオデコーダが、前記エスケープモードコード化画素を含む色成分の色成分インデックス（ｃＩｄｘ）に基づいて前記ｑＰの前記値を決定するように更に構成された、［Ｃ９］に記載の機器。
［Ｃ１１］
前記右シフトパラメータのための前記値を決定するために、前記ビデオデコーダは、  量子化比（ｑＰｐｅｒ）を式ｑＰｐｅｒ＝ｑＰ／６に従って計算することと、ここにおいて、ｑＰが前記ｑＰの前記値を表す、
前記右シフトパラメータのための前記値（ｉｎｖＱｕａｎｔＲｉｇｈｔＳｈｉｆｔ）を式ｉｎｖＱｕａｎｔＲｉｇｈｔＳｈｉｆｔ＝６-ｑＰｐｅｒに従って計算することと
を行うように構成された、［Ｃ９］に記載の機器。
［Ｃ１２］
前記エスケープモードコード化画素を逆量子化するために、前記ビデオデコーダが、前記エスケープモードコード化画素のための値（ｄｅＱｕａｎｔＥｓｐＶａｌｕｅ）を以下の式に従って計算するように構成され、
deQuantEspValue = EspValue * invQuantScale[qPrem] << invQuantLeftShift,   ここにおいて、ＥｓｐＶａｌｕｅが、前記エスケープモードコード化画素のためにコード化されたコード化被量子化エスケープ値を表し、ｉｎｖＱｕａｎｔＳｃａｌｅが逆量子化スケール値のアレイを表し、ｑＰｒｅｍが量子化パラメータ剰余値を表し、ｉｎｖＱｕａｎｔＬｅｆｔＳｈｉｆｔが前記左シフトパラメータの前記値を表し、＜＜がビット単位左シフト演算子を表す、
［Ｃ８］に記載の機器。
［Ｃ１３］
ｉｎｖＱｕａｎｔＳｃａｌｅが｛４０，４５，５１，５７，６４，７２｝を備える、［Ｃ１２］に記載の機器。
［Ｃ１４］
前記ビデオデコーダが、
前記パレットモードコード化ブロックのためのパレットを復号することと、
前記パレットを使用して前記ブロックの少なくとも１つの他の画素を復号することと、  前記エスケープモードコード化画素と復号された前記少なくとも１つの他の画素とを使用して前記ブロックを再構成することと
を行うように更に構成された、［Ｃ８］に記載の機器。
［Ｃ１５］
前記機器が、
集積回路、
マイクロプロセッサ、又は
ワイヤレス通信機器
のうちの少なくとも１つを備える、［Ｃ８］に記載の機器。
［Ｃ１６］
ビデオデータを復号するための機器であって、前記機器は、
ビデオデータのパレットモードコード化ブロックのエスケープモードコード化画素のための右シフトパラメータのための値が０よりも小さいと決定するための手段と、
前記右シフトパラメータのための前記値が０よりも小さいことに基づいて、左シフトパラメータのための値を、前記右シフトパラメータの絶対値に等しい絶対値を有する正値に設定するための手段と、
前記左シフトパラメータの前記値を使用して前記エスケープモードコード化画素を逆量子化するための手段と
を備える、機器。
［Ｃ１７］
前記ブロックのための量子化パラメータ（ｑＰ）の値に基づいて前記右シフトパラメータのための前記値を決定するための手段を更に備える、［Ｃ１６］に記載の機器。
［Ｃ１８］
前記エスケープモードコード化画素を含む色成分の色成分インデックス（ｃＩｄｘ）に基づいて前記ｑＰの前記値を決定するための手段を更に備える、［Ｃ１７］に記載の機器。
［Ｃ１９］
前記右シフトパラメータのための前記値を決定するための前記手段が、
量子化比（ｑＰｐｅｒ）を式ｑＰｐｅｒ＝ｑＰ／６に従って計算するための手段と、ここにおいて、ｑＰが前記ｑＰの前記値を表す、
前記右シフトパラメータのための前記値（ｉｎｖＱｕａｎｔＲｉｇｈｔＳｈｉｆｔ）を式ｉｎｖＱｕａｎｔＲｉｇｈｔＳｈｉｆｔ＝６-ｑＰｐｅｒに従って計算するための手段と
を備える、［Ｃ１７］に記載の機器。
［Ｃ２０］
前記エスケープモードコード化画素を逆量子化するための前記手段が、前記エスケープモードコード化画素のための値（ｄｅＱｕａｎｔＥｓｐＶａｌｕｅ）を以下の式に従って計算するための手段を備え、
deQuantEspValue = EspValue * invQuantScale[qPrem] << invQuantLeftShift,   ここにおいて、ＥｓｐＶａｌｕｅが、前記エスケープモードコード化画素のためにコード化されたコード化被量子化エスケープ値を表し、ｉｎｖＱｕａｎｔＳｃａｌｅが逆量子化スケール値のアレイを表し、ｑＰｒｅｍが量子化パラメータ剰余値を表し、ｉｎｖＱｕａｎｔＬｅｆｔＳｈｉｆｔが前記左シフトパラメータの前記値を表し、＜＜がビット単位左シフト演算子を表す、
［Ｃ１６］に記載の機器。
［Ｃ２１］
ｉｎｖＱｕａｎｔＳｃａｌｅが｛４０，４５，５１，５７，６４，７２｝を備える、［Ｃ２０］に記載の機器。
［Ｃ２２］
前記パレットモードコード化ブロックのためのパレットを復号するための手段と、
前記パレットを使用して前記ブロックの少なくとも１つの他の画素を復号するための手段と、
前記エスケープモードコード化画素と前記復号された少なくとも１つの他の画素とを使用して前記ブロックを再構成するための手段と
を更に備える、［Ｃ１６］に記載の機器。
［Ｃ２３］
実行されたとき、ビデオデータを復号するための機器のプロセッサに、
前記ビデオデータのパレットモードコード化ブロックのエスケープモードコード化画素のための右シフトパラメータのための値が０よりも小さいと決定することと、
前記右シフトパラメータのための前記値が０よりも小さいことに基づいて、左シフトパラメータのための値を、前記右シフトパラメータの絶対値に等しい絶対値を有する正値に設定することと、
前記左シフトパラメータの前記値を使用して前記エスケープモードコード化画素を逆量子化することと
を行わせる命令を記憶したコンピュータ可読記憶媒体。
［Ｃ２４］
前記プロセッサに、前記ブロックのための量子化パラメータ（ｑＰ）の値に基づいて前記右シフトパラメータのための前記値を決定させる命令を更に備える、［Ｃ２３］に記載のコンピュータ可読記憶媒体。
［Ｃ２５］
前記プロセッサに、前記エスケープモードコード化画素を含む色成分の色成分インデックス（ｃＩｄｘ）に基づいて前記ｑＰの前記値を決定させる命令を更に備える、［Ｃ２４］に記載のコンピュータ可読記憶媒体。
［Ｃ２６］
前記プロセッサに前記右シフトパラメータのための前記値を決定させる前記命令は、前記プロセッサに、
量子化比（ｑＰｐｅｒ）を式ｑＰｐｅｒ＝ｑＰ／６に従って計算することと、ここにおいて、ｑＰが前記ｑＰの前記値を表す、
前記右シフトパラメータのための前記値（ｉｎｖＱｕａｎｔＲｉｇｈｔＳｈｉｆｔ）を式ｉｎｖＱｕａｎｔＲｉｇｈｔＳｈｉｆｔ＝６-ｑＰｐｅｒに従って計算することと
を行わせる命令を備える、［Ｃ２４］に記載のコンピュータ可読記憶媒体。
［Ｃ２７］
前記プロセッサに前記エスケープモードコード化画素を逆量子化させる前記命令が、前記プロセッサに、前記エスケープモードコード化画素のための値（ｄｅＱｕａｎｔＥｓｐＶａｌｕｅ）を以下の式に従って計算させる命令を備え、
deQuantEspValue = EspValue * invQuantScale[qPrem] << invQuantLeftShift,   ここにおいて、ＥｓｐＶａｌｕｅが、前記エスケープモードコード化画素のためにコード化されたコード化被量子化エスケープ値を表し、ｉｎｖＱｕａｎｔＳｃａｌｅが逆量子化スケール値のアレイを表し、ｑＰｒｅｍが量子化パラメータ剰余値を表し、ｉｎｖＱｕａｎｔＬｅｆｔＳｈｉｆｔが前記左シフトパラメータの前記値を表し、＜＜がビット単位左シフト演算子を表す、
［Ｃ２３］に記載のコンピュータ可読記憶媒体。
［Ｃ２８］
ｉｎｖＱｕａｎｔＳｃａｌｅが｛４０，４５，５１，５７，６４，７２｝を備える、［Ｃ２７］に記載のコンピュータ可読記憶媒体。
［Ｃ２９］
前記プロセッサに、
前記パレットモードコード化ブロックのためのパレットを復号することと、
前記パレットを使用して前記ブロックの少なくとも１つの他の画素を復号することと、  前記エスケープモードコード化画素と前記復号された少なくとも１つの他の画素とを使用して前記ブロックを再構成することと
を行わせる命令を更に備える、［Ｃ２３］に記載のコンピュータ可読記憶媒体。